(57)【要約】      （修正有）【課題】流し台のシンク周りのスペースを有効利用できるように配置のバリエーションに優れた水切りトレーを提供する。【解決手段】水切りトレー１は、排水口７をトレー周縁部に偏芯して設けると共にトレーの両面に載置物を載置可能な載置面３を形成したことを特徴とするものである。また、載置面３の周縁に載置面３の両方向に立ち上がる周壁部５を有し、周壁部５は、一方向へ立ち上がる周壁部５ａが他方向へ立ち上がる周壁部内に挿入可能になっていることを特徴とするものである。さらに、水切りトレー１を載置した状態で排水口７が最も低位置になるように、周壁部５の高さが設定されている。【選択図】図１
2011067531.tif 000002
【特許請求の範囲】
【請求項１】
排水口をトレー周縁部に偏芯して設けると共にトレーの両面に載置物を載置可能な載置面を形成したことを特徴とする水切りトレー。
【請求項２】
載置面の周縁に前記載置面の両方向に立ち上がる周壁部を有し、該周壁部は、一方向へ立ち上がる周壁部が他方向へ立ち上がる周壁部内に挿入可能になっていることを特徴とする請求項１に記載の水切りトレー。
【請求項３】
水切りトレーを載置した状態で前記排水口が最も低位置になるように、前記周壁部の高さが設定されていることを特徴とする請求項２記載の水切りトレー。
【請求項４】
前記排水口が最も低位置になるように前記載置面が傾斜していることを特徴とする請求項１又は２に記載の水切りトレー。
【請求項５】
前記載置面に複数のリブが形成され、該リブは前記排水口に近い側の立ち上がり長さが徐々に長くなるように設定されていることを特徴とする請求項１乃至４のいずれか一項に記載の水切りトレー。
【請求項６】
前記載置面は平面視で矩形状に形成され、前記排水口が角部近傍で長辺側を開口するように設けられていることを特徴とする請求項１乃至５のいずれか一項に記載の水切りトレー。
【発明の詳細な説明】
【技術分野】
【０００１】
本発明は、流し台のシンクで洗った食器や食材などを一時的に載置して、水切りをする水切りトレーに関する。
【背景技術】
【０００２】
流し台のシンクで洗った食器や食材などを一時的に載置して、水切りをする水切りトレーは、例えば矩形枠体からなり、その一辺あるいは一辺の一部が開放した排水口になっており、この排水口をシンクに臨ませて流し台の所望の場所に置いて使用する。
このような水切りトレーの一例として、例えば特許文献１に開示された流し台用水切り具がある。特許文献１には、排水口が一辺に設けられ、その一辺全幅が排水口になっているものや、一辺の中央に集水口として幅狭の排水口を設けたものなどが開示されている。
【先行技術文献】
【特許文献】
【０００３】
【特許文献１】特開2006-326244号公報
【発明の概要】
【発明が解決しようとする課題】
【０００４】
特許文献１に開示された水切り具を含め、従来の水切りトレーは、片面のみを上面すなわち食器等の載置面として使用する形態のものである。また、排水口の態様としては、例えば矩形状の水切りトレーの場合には、その一辺全幅を排水口としたもの、あるいは一辺の中央部に排水を集めるようにしたものが開示されている。
【０００５】
水切りトレーは、排水口をシンクに臨ませて配置しなければならないという機能上の制約がある。そのため、従来例のような片面のみしか使用できない水切りトレーでは、配置のバリエーションに乏しく、シンク周りの流し台のスペースを有効利用するには限界があった。
【０００６】
本発明はかかる課題を解決するためになされたものであり、流し台のシンク周りのスペースを有効利用できるように配置のバリエーションに優れた水切りトレーを提供することを目的としている。
【課題を解決するための手段】
【０００７】
発明者は、上記の課題を解決するため鋭意検討し、片面使用を前提とし、排水口は一辺の全幅あるいは中央に設けるという水切りトレーに関する従来の固定観念を脱して、排水口を偏芯して設け両面使用を可能にすることで配置のバリエーションが増すとの知見を得た。本発明は係る知見に基づくものであり、具体的には以下の構成からなるものである。
【０００８】
（１）本発明に係る水切りトレーは、排水口をトレー周縁部に偏芯して設けると共にトレーの両面に載置物を載置可能な載置面を形成したことを特徴とするものである。
【０００９】
（２）また、上記（１）に記載のものにおいて、載置面の周縁に前記載置面の両方向に立ち上がる周壁部を有し、該周壁部は、一方向へ立ち上がる周壁部が他方向へ立ち上がる周壁部内に挿入可能になっていることを特徴とするものである。
方向へ立ち上がる周壁部が他方向へ立ち上がる周壁内に挿入可能になるようにせたことにより、複数の水切りトレーを安定して重ねることができる。
【００１０】
（３）また、上記（２）に記載のものにおいて、水切りトレーを載置した状態で前記排水口が最も低位置になるように、前記周壁部の高さが設定されていることを特徴とするものである。
排水口を最も低位置にするための手段として、周壁部の高さを利用するようにしたので、載置面を両面同じ形状で利用可能になり、構造が簡単になりコストを低減できる。
【００１１】
（４）また、上記（１）又は（２）に記載のものにおいて、前記排水口が最も低位置になるように前記載置面が傾斜していることを特徴とするものである。
【００１２】
（５）また、上記（１）乃至（４）に記載のものにおいて、前記載置面に複数のリブが形成され、該リブは前記排水口に近い側の立ち上がり長さが徐々に長くなるように設定されていることを特徴とするものである。
リブにおける排水口に近い側の立ち上がり長さを長く設定したので、リブ上に載置する食器類を安定して載置できる。
【００１３】
（６）また、上記（１）乃至（５）に記載のものにおいて、前記載置面は平面視で矩形状に形成され、前記排水口が角部近傍で長辺側を開口するように設けられていることを特徴とするものである。
【発明の効果】
【００１４】
本発明においては、排水口をトレー周縁部における偏芯位置に設けると共にトレーの両面に載置物を載置可能な載置面を形成したことにより、両面使用が可能となり、かつ排水口が偏芯して設けられているので、載置面を切り替えたときに配置のバリエーションが増え、流し台のシンク周辺の有効利用が可能となる。
【図面の簡単な説明】
【００１５】
【図１】本発明の一実施の形態に水切りトレーを載置状態で上方からみた図である。
【図２】図１の矢視Ａ−Ａ図である。
【図３】図１の矢視Ｂ−Ｂ線に沿う断面図である。
【図４】図１の矢視Ｃ−Ｃ線に沿う断面図である。
【図５】図１の矢視Ｄ−Ｄ図である。
【図６】図１の矢視Ｅ−Ｅ線に沿う断面図である。
【図７】本発明の一実施の形態に係る水切りトレーのスタッキング動作の説明図である。
【図８】本発明の一実施の形態に係る水切りトレーのスタッキング動作の説明図である。
【図９】本発明の一実施の形態に係る水切りトレーの配置のバリエーションの説明図である。
【図１０】本発明の一実施の形態に係る水切りトレーの配置のバリエーションの説明図である。
【図１１】本発明の他の実施の形態に係る水切りトレーの六面図である。
【図１２】本発明の他の実施の形態に係る水切りトレーの六面図である。
【図１３】本発明の他の実施の形態に係る水切りトレーの六面図である。
【発明を実施するための形態】
【００１６】
［実施の形態１］
本実施の形態に係る水切りトレーを図１乃至図１０に基づいて説明する。
本実施の形態に係る水切りトレー１は、図１に示されるように、全体形状が角丸の矩形枠状をしている。また、水切りをする食器等を載置できる第１載置面３ａと第２載置面３ｂからなる載置面３が両面に形成されている（図３参照）。載置面３の構造は後述する。そして、載置面３の周縁には載置面３を挟んで上方向に立ち上がる第１周壁５ａと下方向に立ち上がる第２周壁５ｂからなる周壁５を有している。周壁５における一つの角部近傍に長辺側が開口してなる排水口７が形成されている。排水口７をより具体的に説明すると、図１に示されるように、長辺側の周壁５が外方に向って延びる緩やかな曲線部を形成して外方に出っ張り、その先が開口することで排水口７となっている。このように、排水口７は、長辺の一部が外方に出っ張り、その先端に形成されていることから、シンクの内側に臨ませやすくなっている。
上記のように構成される水切りトレー１の各部をより詳細に説明する。
【００１７】
＜周壁＞
周壁５は、載置面３を挟んで上下方向の両方に立ち上がるように形成されている。周壁５は、図２に示されるように、載置面３の上方に立ち上がる第１周壁５ａと下方に立ち上がる第２周壁５ｂでは幅寸法が異なっており、この例では、上方に立ち上がる第１周壁５ａの方が下方に立ち上がる第２周壁５ｂよりも幅広になっている。このようにすることで、複数の水切りトレー１を重ねるときに、幅広の第１周壁５ａに幅狭の第２周壁５ｂを挿入でき、高さを低く抑えつつ安定したスタッキングを実現できる。
図７、図８は図１における矢視Ｅ−Ｅ線に沿う断面図に相当する図であって、２枚の水切りトレー１を重ねるスタッキング動作を説明する図である。
図７、図８に示されるように、幅広の第１周壁５ａを上にした水切りトレー１に、下面を幅狭の第２周壁５ｂにした水切りトレー１を重ねることで、幅広の第１周壁５ａ内に幅狭の第２周壁５ｂが挿入されて、両者が安定的に重ね合わせることができる。
【００１８】
周壁５は、図４、図６に示されるように、水切りトレー１を水平面に載置したときに排水口７側が最も低くなるように、周壁５における排水口７側の立ち上がり長さが短くなるように設定されている。この例では、水切りトレー１を水平面に載置したとき、載置面３の長辺方向の傾斜が1.15°であり（図４参照）、短辺方向の傾斜が3.2°になる（図６参照）ように設定されている。
【００１９】
＜載置面＞
載置面３は、両面が水切りをする食器等を載置できるようになっている。この載置面３は、これを構成する平板９上に複数のリブ１１を形成して構成されている。図２、図３、図５などから理解されるように、リブ１１は、排水口７に近い側の立ち上がり長さが長くなるように設定されている。これは、水切りトレー１を載置した状態では、上述したように、排水口７側が低くなるようになっているので、仮にリブ１１の立ち上がり長さが同じであれば、リブ１１上に載置した食器類が傾いて排水口７側に滑ることも懸念される。そこで、排水口７側のリブ１１の立ち上がり長さを長くすることで、リブ１１上に載置した食器類がほぼ水平になるようにしたものである。
【００２０】
各リブ１１の形状は、頂部に向ってなだらかな湾曲傾斜面で形成されている（図４参照）。リブ１１の配置は、種々の配置が考えられるが、図１に示すように、リブ１１上に載置された食器類から落ちる水滴が排水口７に向って案内されるように配置する。図１の例では、排水口７の近傍では、排水口７の形成された長辺に直交する直線形状とし、排水口７から遠い部位では、排水口７側に傾斜する直線形状としている。
【００２１】
＜排水口＞
排水口７は、図１に示されるように、長辺から外方に向って出っ張る緩やかな曲線部を介して長辺よりも出っ張るように形成されている。排水口７を長辺よりも外方に出っ張らせることで、シンク内へ臨ませ易くなっており、シンク内への排水を確実に行なえるようにしている。もっとも、排水口７が外方に出っ張ることで、排水口７の角が搬送途中において他の物に当りやすくなる。この点、本実施の形態では、排水口７の短辺寄りの部位を短辺の延長線上にするのではなく、緩やかな曲線部を介して長辺側にずらしており、これによって、排水口７の角が他の物に当たることが少なくなり、排水口７の角の損傷等を可及的に防止できる。
【００２２】
上記のように構成された本実施の形態の水切りトレー１の機能について説明する。
図９は、図１における上側の面（Ａ面とする）を使用した場合の配置例を示し、図８は、図１における下側の面（Ｂ面とする）を使用した場合の配置例を示している。
図９、図１０に示されるように、本実施の形態の水切りトレー１では、排水口７が偏芯して設けられると共に両面使用可能としたことにより、シンク１３周りでの配置のバリエーションが増し、シンク１３周りの流し台周りのスペースの有効利用が可能になる。つまり、流し台回りのスペースは洗剤や清掃用の小物類を置く場所として利用されるが、それらの最も使いやすい場所は個人によって微妙に異なるものである。この点、本実施の形態の水切りトレー１であれば、このような微妙な配置の違いにも対応でき、個人の要望にあった使い勝手のよいものになる。
【００２３】
［実施の形態２］
図１１は本発明の実施の形態２の水切りトレー２１の六面図を示しており、図１〜図１０に示した実施の形態１と同一又は相当する部分には同一の符号を付してある。図１１において、図１１（ａ）が正面図、図１１（ｂ）が左側面図、図１１（ｃ）が右側面図、図１１（ｄ）が平面図、図１１（ｅ）が正面図、図１１（ｆ）が背面図に相当する。
【００２４】
本実施の形態の水切りトレー２１は、リブ１１の配置が実施の形態１とは異なっており、排水口７に近いリブ１１を排水口７が設けられた辺に直交する直線状にし、排水口７から離れるに従って排水口７に向って傾斜させ、排水口７から離れるに従って徐々に傾斜を大きくするような配置にしている。
【００２５】
［実施の形態３］
図１２は本発明の実施の形態３の水切りトレー３１の六面図を示しており、図１〜図１０に示した実施の形態１と同一又は相当する部分には同一の符号を付してある。図１２において、図１２（ａ）が正面図、図１２（ｂ）が左側面図、図１２（ｃ）が右側面図、図１２（ｄ）が平面図、図１２（ｅ）が正面図、図１２（ｆ）が背面図に相当する。
【００２６】
本実施の形態の水切りトレー３１は、リブ１１の配置が実施の形態１とは違っており、排水口７に近いリブ１１のうちの何本か（この例では６本）を排水口７が設けられた辺に対して直交する直線状とし、これらのリブ１１のさらに図中左側のリブ１１については排水口７に向かって傾斜させ、該傾斜を排水口７から離れるに従って徐々に大きくするような配置にしている。
【００２７】
［実施の形態４］
図１３は本発明の実施の形態４の水切りトレー４１の六面図を示しており、図１〜図１０に示した実施の形態１と同一又は相当する部分には同一の符号を付してある。図１３において、図１３（ａ）が正面図、図１３（ｂ）が左側面図、図１３（ｃ）が右側面図、図１３（ｄ）が平面図、図１３（ｅ）が正面図、図１３（ｆ）が背面図に相当する。
【００２８】
本実施の形態の水切りトレー４１は、載置面３を挟んで両側に立ち上がる周壁５を両方とも同一形状にしている。このため、複数の水切りトレー４１を重ねたときに一方を他方に挿入することはできない。その一方で、図１３（ｂ）、（ｃ）、（ｄ）に示すように、周壁５の外面が平面になっているので、この部位を接地面にして自立させることができる。したがって、水切りトレー４１を使用しない場合に自立させておくことができるので便利である。
【００２９】
なお、本実施の形態では、排水口７の側壁を、短辺側の周壁５から直線状に連続させて形成している点も実施の形態１とは異なっている。排水口７の側壁をこのように形成することで、上述したように、図１３（ｃ）に示す面を接地面としたときの安定性を確保している。
なお、本実施の形態のリブ１１は、全て長辺に直交する方向に直線になっている。
【００３０】
上記の実施の形態１〜４においては、全体形状を角丸の矩形状にした例を示したが、本発明はこれに限られるものではなく、例えば、楕円形、ひょうたん形、正方形、ソラマメ形など種々の形状が考えられる。要するに、排水口７を偏芯して配置できるような形状であれば何でもよく、そのような形状であれば両面使用可能な載置面３にすることで配置のバリエーションが増すという効果が得られる。その意味で、水切りトレーの全体形状が真円の場合には、排水口７の位置を偏芯して設けるということができず、たとえ両面使用可能な載置面にしても排水口７の位置が両面で同じ位置になるので、配置のバリエーションが増すことにならない。
しかし、排水口７を出っ張らせるときの形状を左右いずれかの方向に湾曲させたような場合には、水切りトレーの全体形状が真円の場合であっても、両面使用可能にすることで排水口７の位置のバリエーションが増すという効果が得られる。
したがって、本発明にいう「排水口を偏芯して設ける」の意義については、以下のように定義することができる。水切りトレーの全体形状が真円以外の場合には、排水口７の形状に関わらず、排水口７の中心線が当該水切りトレーの全体形状の重心を通らないように設けることである。また、水切りトレーの全体形状如何に関わらず、排水口７の形状自体を左右何れかの方向に湾曲させて設ける場合をも含む。
【００３１】
また、上記の実施の形態１〜４においては、排水口７の位置が最も低くなるようにする手段として、周壁５の高さを調整するようにしたが、例えば周壁５の高さは同じであって載置面の傾斜を調整するようにしてもよい。そのための具体的方法としては、例えば載置面を異なる２枚の板で形成したり、載置面を形成する部材を単一の板材で形成し、該板材を厚肉にして表面の傾斜をそれぞれの面で異なるようにしたりすることが考えられる。
【符号の説明】
【００３２】
１  水切りトレー
３  載置面
３ａ  第１載置面
３ｂ  第２載置面
５  周壁
５ａ  第１周壁
５ｂ  第２周壁
７  排水口
９  平板
１１  リブ
１３  シンク
【図１】
2011067531.tif 000003
【図２】
2011067531.tif 000004
【図３】
2011067531.tif 000005
【図４】
2011067531.tif 000006
【図５】
2011067531.tif 000007
【図６】
2011067531.tif 000008
【図７】
2011067531.tif 000009
【図８】
2011067531.tif 000010
【図１１】
2011067531.tif 000011
【図１２】
2011067531.tif 000012
【図１３】
2011067531.tif 000013
【図９】
2011067531.tif 000014
【図１０】
2011067531.tif 000015